(57)【特許請求の範囲】
【請求項１】
収容物を収容する容器に連通するガス供給口と、前記ガス供給口に連通するガス流路とを有するノズル本体と、
前記ガス流路に接続され、前記ガス供給口を介して前記容器にガスを供給する供給ノズルと、
前記ガス流路に接続され、前記ガス流路内を排気する排気ノズルと、
を備え、
前記ノズル本体が、前記容器の底の弁に対して昇降することを特徴とするノズルユニット。
【請求項２】
前記ノズル本体は、
前記ガス供給口を形成する胴部と、
前記胴部の上端面から立ち上がる第１周壁と、
前記胴部の上端面と前記第１周壁とにより形成された上方空間とを有し、
前記ガス流路が、前記ガス供給口を介して前記上方空間と連通することを特徴とする請求項１に記載のノズルユニット。
【請求項３】
前記供給ノズルと前記排気ノズルとが一体であることを特徴とする請求項１又は２に記載のノズルユニット。
【請求項４】
前記ノズル本体内の圧力を調整する圧力調整手段を備え、
前記ノズル本体内をガスに置換する際に、前記圧力調整手段が、前記ノズル本体内の圧力を所定値以下に制御することを特徴とする請求項１から３のいずれかに記載のノズルユニット。
【請求項５】
前記ノズル本体と、
前記ガス供給口を閉止する開閉機構と、
前記開閉機構により閉止された前記ガス供給口を開放する開放手段と、
を備えたことを特徴とする請求項１から４のいずれかに記載のノズルユニット。
【請求項６】
前記開閉機構は、前記上方空間に位置して外周縁部で前記ガス供給口の周縁を閉止する弾性閉止部材と、前記弾性閉止部材を前記胴部に固定する固定部とを有し、
前記開放手段は、前記弾性閉止部材を押圧して弾性変形させることで前記閉止を解除する不活性ガスであることを特徴とする請求項２に従属する請求項５に記載のノズルユニット。
【請求項７】
前記ノズル本体は、前記ガス供給口を形成する胴部を更に備え、
前記ガス流路は、前記胴部の内部を水平方向に延びることを特徴とする請求項１に記載のノズルユニット。
【発明の詳細な説明】
【技術分野】
【０００１】
本発明は、搬送中のウェーハを収容する収容容器にガスを充填するノズルユニットに関する。
【背景技術】
【０００２】
従来、基板としてのウェーハに対し種々の処理工程が施されることにより半導体の製造がなされてきている。近年では素子の高集積化や回路の微細化がますます進められており、ウェーハ表面へのパーティクルや水分の付着が生じないように、ウェーハ周辺を高いクリーン度に維持することが求められている。さらに、ウェーハ表面が酸化するなど表面の性状が変化することがないよう、ウェーハ周辺を不活性ガスである窒素雰囲気としたり、真空状態としたりすることも行われている。
【０００３】
こうしたウェーハ周辺の雰囲気を適切に維持するために、ウェーハは、ＦＯＵＰ（Front-Opening Unified Pod）と呼ばれる密閉式の格納ポッドの内部に入れて管理され、この内部には窒素が充填される。さらに、ウェーハに処理を行う処理装置と、ＦＯＵＰとの間でウェーハの受け渡しを行うために、ＥＦＥＭ（Equipment Front End Module）が利用されている。ＥＦＥＭは、筐体の内部で略閉止されたウェーハ搬送室を構成するとともに、その対向壁面の一方にＦＯＵＰとの間でのインターフェース部として機能するロードポート（Load Port）を備えるとともに、他方に処理装置の一部であるロードロック室が接続される。ウェーハ搬送室内には、ウェーハを搬送するためのウェーハ搬送装置が設けられており、このウェーハ搬送装置を用いて、ロードポートに接続されるＦＯＵＰとロードロック室との間でウェーハの出し入れが行われる。ウェーハ搬送室は、通常、搬送室上部に配置したファンフィルタユニットから清浄な大気であるダウンフローを常時流している。
【０００４】
さらに、近年では、ウェーハの最先端プロセスにおいては、ダウンフローとして用いられる清浄な大気に含まれる酸素、水分などですら、ウェーハの性状を変化させるおそれがある。このため特許文献１のように、ウェーハ周辺を窒素雰囲気とするように不活性ガスをＦＯＵＰ内に注入する技術の実用化が求められている。
【先行技術文献】
【特許文献】
【０００５】
【特許文献１】特開２０１１―１８７５３９号公報
【発明の概要】
【発明が解決しようとする課題】
【０００６】
しかし、特許文献１に記載のノズルユニットでは、依然として注入ノズル内の流路に大気やパーティクルが残存してしまう。この結果、より低酸素濃度、低湿度が求められるＦＯＵＰ内において、これらの残存する大気やパーティクルが混入していまい、ウェーハの性状が変化してしまう恐れがあるという問題がある。
【０００７】
そこで、この発明は上記のような課題を解決するためになされたもので、ＦＯＵＰに不活性ガスを充填する際、大気が侵入するのを防止するノズルユニットを提供することを目的とする。
【課題を解決するための手段】
【０００８】
第１の発明に係るノズルユニットは、
収容物を収容する容器に連通するガス供給口と、前記ガス供給口に連通するガス流路とを有するノズル本体と、
前記ガス流路に接続され、前記ガス供給口を介して前記容器にガスを供給する供給ノズルと、
前記ガス流路に接続され、前記ガス流路内を排気する排気ノズルと、
を備えた。
【０００９】
このノズルユニットでは、排気ノズルにより大気を排気する。従って、容器とノズル本体とが接触した後、ノズル本体、供給ノズルおよび排気ノズルを包含するノズルユニット内の大気を排気して供給ノズルが容器にガスを供給する。これにより、ノズルユニット内の大気が容器の内部に流入するのを防止できる。なお、ここで大気とは、容器に収容されるウェーハを酸化させるなど、酸素、水分、パーティクルのようにウェーハの性状を変化させる恐れのある物質、および、これらを含む気体を意味する。この大気が容器に流入するのを防止するので、容器に収容されたウェーハの性状変化を防止できる。
【００１０】
第２の発明に係るノズルユニットは、
前記ノズル本体は、
前記ガス供給口を形成する胴部と、
前記胴部の上端面から立ち上がる第１周壁と、
前記胴部の上端面と前記第１周壁とにより形成された上方空間とを有し、
前記ガス流路が、前記ガス供給口を介して前記上方空間と連通する。
【００１１】
このノズルユニットでは、排気ノズルが、供給ノズル、ガス流路、上方空間および排気ノズル内の大気を排気する。従って、容器とノズル本体とが接触した後、供給ノズルが容器にガスを供給する際に大気が容器に流入するのを確実に防止する。これにより、容器に収容されたウェーハの性状変化を防止できる。
【００１２】
第３の発明に係るノズルユニットは、
前記供給ノズルと前記排気ノズルとが一体である。
【００１３】
このノズルユニットでは、供給ノズルと排気ノズルとを一体に設けることで構成を簡単にし、製造コストを削減できる。
【００１４】
第４の発明に係るノズルユニットは、
前記ノズル本体内の圧力を調整する圧力調整手段を備え、
前記ノズル本体内をガスに置換する際に、前記圧力調整手段が、前記ノズル本体内の圧力を所定値以下に制御する。
【００１５】
このノズルユニットでは、圧力調整手段がノズル本体内の圧力を所定値以下に制御する。従って、ノズル本体内の大気を排気して不活性ガスを供給する際、すなわちノズル本体内を大気から不活性ガスに置換する際に、不活性ガスが容器内に流入するのを防止できる。
【００１６】
第５の発明に係るノズルユニットは、
前記ノズル本体と、
前記ガス供給口を閉止する開閉機構と、
前記開閉機構により閉止された前記ガス供給口を開放する開放手段と、
を備え。
【００１７】
このノズルユニットでは、容器とノズル本体とが接触した後、開放手段が開閉機構により閉止されたガス供給口を開放し、排気ノズルがノズルユニット内の大気を排気する。従って、排気ノズルがノズルユニット内の大気を排気してから、供給ノズルが容器に不活性ガスを供給するので、ノズルユニット内の大気が容器の内部に流入するのを防止できる。
【００１８】
第６の発明に係るノズルユニットは、
前記開閉機構は、前記上方空間に位置して外周縁部で前記ガス供給口の周縁を閉止する弾性閉止部材と、前記弾性閉止部材を前記胴部に固定する固定部とを有し、
前記開放手段は、前記弾性閉止部材を押圧して弾性変形させることで前記閉止を解除する不活性ガスである。
【００１９】
このノズルユニットでは、不活性ガスの圧力を所定値以上にすることで、不活性ガスが弾性閉止部材を押圧して弾性変形させ、ガス供給口の閉止を解除する。これにより、容易な構成でガスを供給できる。
【発明の効果】
【００２０】
第１の発明では、排気ノズルにより大気を排気する。従って、容器とノズル本体とが接触した後、ノズル本体、供給ノズルおよび排気ノズルを包含するノズルユニット内の大気を排気して供給ノズルが容器に不活性ガスを供給する。これにより、ノズルユニット内の大気が容器の内部に流入するのを防止できる。なお、ここで大気とは、容器に収容されるウェーハを酸化させるなど、ウェーハの性状を変化させる恐れのある酸素、水分、パーティクルなどを含む。この大気が容器に流入するのを防止するので、容器に収容されたウェーハの性状変化を防止できる。
【００２１】
第２の発明では、排気ノズルが、供給ノズル、ガス流路、上方空間および排気ノズル内の大気を排気する。従って、容器とノズル本体とが接触した後、供給ノズルが容器にガスを供給する際に大気が容器に流入するのを確実に防止する。これにより、容器に収容されたウェーハの性状変化を防止できる。
【００２２】
第３の発明では、供給ノズルと排気ノズルとを一体に設けることで構成を簡単にし、製造コストを削減できる。
【００２３】
第４の発明では、圧力調整手段がノズル本体内の圧力を所定値以下に制御する。従って、ノズル本体内の大気を排気して不活性ガスを供給する際、すなわちノズル本体内を大気から不活性ガスに置換する際に、不活性ガスが容器内に流入するのを防止できる。
【００２４】
第５の発明では、容器とノズル本体とが接触した後、開放手段が開閉機構により閉止されたガス供給口を開放し、排気ノズルがノズルユニット内の大気を排気する。従って、排気ノズルがノズルユニット内の大気を排気してから、供給ノズルが容器に不活性ガスを供給するので、ノズルユニット内の大気が容器の内部に流入するのを防止できる。
【００２５】
第６の発明では、不活性ガスの圧力を所定値以上にすることで、不活性ガスが弾性閉止部材を押圧して弾性変形させ、ガス供給口の閉止を解除する。これにより、容易な構成で不活性ガスを供給できる。
【図面の簡単な説明】
【００２６】
【図１】ＥＦＥＭの側面壁を取り外した状態を示す側面図。
【図２】図１に示すロードポートの斜視図。
【図３】ＦＯＵＰとロードポートを示す側面断面図。
【図４】ＥＦＥＭを構成するウインドウユニットとドア部を拡大して示す要部拡大斜視図。
【図５】位置決めセンサの部分拡大斜視図。
【図６】第１実施形態に係るノズルユニットの断面図。
【図７】図６のノズルユニットをＦＯＵＰに向かって移動させた断面図。
【図８】図６のノズルユニットをＦＯＵＰに装着した状態を示す断面図。
【図９】制御部の接続状態を示すブロック図。
【図１０】ＦＯＵＰへのガス注入動作を示すフローチャート。
【図１１】第２実施形態に係るノズルユニットの断面図。
【図１２】図１１のノズルユニットをＦＯＵＰに向かって移動させた断面図。
【図１３】図１２のノズルユニットをＦＯＵＰに向かって更に移動させた断面図。
【図１４】図１２のノズルユニットをＦＯＵＰに装着した状態を示す断面図。
【図１５】第２実施形態に係るノズルユニットの変形例を示す断面図。
【図１６】図１５の変形例に係るノズルユニットをＦＯＵＰに装着した状態を示す断面図。
【図１７】図１５の変形例に係るノズルユニットをＦＯＵＰに装着しガスを注入する状態を示す断面図。
【図１８】図１５と異なる弾性閉止部材を用いたノズルユニットの断面図。
【図１９】図１８の弾性閉止部材が開放した状態を示す断面図。
【図２０】ばねに代えて圧力室を採用した第２実施形態の変形例に係るノズルユニットの断面図。
【図２１】ガス供給口を開閉するレギュレータを採用した第２実施形態の変形例に係るノズルユニットの断面図。
【図２２】ガス置換機構を昇降させずに固定した変形例に係る載置台周辺の断面図。
【図２３】位置決めセンサとして加圧センサを用いた変形例に係る載置台周辺の断面図。
【発明を実施するための形態】
【００２７】
以下、本発明の実施形態を添付図面に従って説明する。
【００２８】
図１は、ＥＦＥＭ１の側面の壁を取り除くことで内部が見えるようにした側面図である。図１に示すように、ＥＦＥＭ１は、所定の受け渡し位置間でウェーハＷの搬送を行うウェーハ搬送装置２と、このウェーハ搬送装置２を囲むように設けられた箱型の筐体３と、筐体３の前面側の壁の外側に接続されるロードポート４と、制御手段５とから構成されている。ここで、本願においては筐体３より見てロードポート４が接続される側の向きを前方、筐体３より見てロードポート４が接続される側と反対側の向きを後方と定義する。
【００２９】
制御手段５がウェーハ搬送装置２の動作を制御することによって、ロードポート４に載置されたＦＯＵＰ（容器）７に収容されているウェーハ（収容物）Ｗを筐体３内部の搬送空間９へ搬送すること及び、各処理が行われた後のウェーハＷをＦＯＵＰ７内へ再び搬送することが可能となっている。
【００３０】
ロードポート４はドア部５１（図２参照）を備えており、このドア部５１がＦＯＵＰ７に設けられた蓋体３２と連結してともに移動することで、ＦＯＵＰ７が搬送空間９に対して開放されるようになっている。ＦＯＵＰ７内には載置部が上下方向に多数設けられており、これによって多数のウェーハＷを収容することができる。また、ＦＯＵＰ７内には通常窒素が充填されるとともに、制御手段５の制御によってロードポート４を介してＦＯＵＰ７内の雰囲気を窒素置換することも可能となっている。
【００３１】
制御手段５は、筐体３の上部空間に設けられたコントローラユニットとして構成されている。また制御手段５は、ウェーハ搬送装置２の駆動制御、ロードポート４によるＦＯＵＰ７の窒素置換制御、ドア部５１の開閉制御及び、筐体３内における窒素循環制御等を行っている。制御手段５は、ＣＰＵ、メモリ及びインターフェースを備えた通常のマイクロプロセッサ等により構成されるもので、メモリには予め処理に必要なプログラムが格納してあり、ＣＰＵは逐次必要なプログラムを取り出して実行し、周辺ハードリソースと協働して所期の機能を実現するものとなっている。なお、窒素循環制御については後述する。
【００３２】
筐体３の内部空間は、仕切り部材８によってウェーハ搬送装置２が駆動する空間である搬送空間９と、ガス帰還路１０とに仕切られている。搬送空間９とガス帰還路１０とは、搬送空間９の上部に幅方向に延在して設けられたガス送出口１１と搬送空間９の下部に幅方向に延在して設けられたガス吸引口１２とにおいてのみ連通している。そして、ガス送出口１１とガス吸引口１２とが搬送空間９内に下降気流を生じさせ、ガス帰還路１０内に上昇気流を生じさせることで、窒素ガスが循環するようになっている。なお、本実施形態においては、筐体３内に不活性ガスである窒素を循環させることとするが、循環させるガスはこれに限られるものではなく、他のガスを用いることもできる。
【００３３】
帰還路１０の背面側上部には筐体３内に窒素を導入するガス供給手段１６が接続されている。ガス供給手段１６は、制御手段５からの命令に基づいて窒素の供給と供給の停止を制御することが可能となっている。そのため、窒素の一部が筐体３の外部に流出した場合には、ガス供給手段１６が流出分の窒素を供給することによって、筐体３内の窒素雰囲気を一定に保つことができる。また、背面側下部には筐体３内の窒素ガスを排出するガス排出手段１７が接続されている。ガス排出手段１７は、制御手段５からの命令に基づいて動作して、図示しないシャッタを開放することによって筐体３の内部と外部に設けられた窒素ガス排出先とを連通させることが可能となっている。そして、上述したガス供給手段１６による窒素の供給と併用することにより、筐体３内を窒素雰囲気に置換したり筐体３内の圧力を制御することが可能となっている。なお、本実施形態においては、循環させるガスを窒素とするため、ガス供給手段１６は窒素を供給するが、他のガスを循環させる場合は、ガス供給手段１６はその循環させるガスを供給する。
【００３４】
また、ガス送出口１１には第１の送風手段としてのファン１３ａとフィルタ１３ｂとから構成されるファンフィルタユニット１３（ＦＦＵ１３）が設けられている。ファンフィルタユニット１３は、筐体３内を循環する窒素ガス内に含まれるパーティクルを除去するとともに、搬送空間９内へ下方に向けて送風することによって搬送空間９内に下降気流を生じさせている。なお、ＦＦＵ１３は、仕切り部材８に連結され水平方向に延びる支持部材１８によって支持されている。
【００３５】
そして、上述したＦＦＵ１３のファン１３ａ及びファン１５によって、筐体３内の窒素ガスは搬送空間９内を下降し、ガス帰還路１０内を上昇することで循環するようになっている。ガス送出口１１は下方に向かって開口されていることから、ＦＦＵ１３によって窒素ガスが下方に向かって送り出される。ガス吸引口１２は上方に向かって開口されていることから、ＦＦＵ１３によって生じさせた下降気流を乱すことなくそのまま下方に向かって窒素ガスを吸引させることができ、これらによって円滑な窒素ガスの流れを作り出すことができる。なお、搬送空間９内に下降気流が生じていることで、ウェーハＷ上部に付着したパーティクルや処理済みウェーハから一時的に放出される放出ガスを除去するとともに、搬送空間９内のウェーハ搬送装置２などの装置が移動することにより、それらの放出ガスやパーティクルが浮遊することを防止している。
【００３６】
図２は、ロードポート４の斜視図を示す。以下、ロードポート４の構成を説明する。
【００３７】
ロードポート４は、キャスタ及び設置脚の取り付けられる脚部２５の後方よりベース２１を垂直に起立させ、このベース２１の約６０％程度の高さ位置より前方に向けて水平基部２３が設けられている。さらに、この水平基部２３の上部には、ＦＯＵＰ７を載置するための載置台２４が設けられている。
【００３８】
ＦＯＵＰ７は、図３に模式的に示すように、ウェーハＷ（図１参照）を収容するための内部空間Ｓｆを備えた本体３１と、ウェーハＷの搬出入口となるべく本体３１の一面に設けられた開口３１ａを開閉する蓋体３２とから構成されている。ＦＯＵＰ７は、載置台２４に正しく載置された場合には蓋体３２がベース２１と対向するようになっている。
【００３９】
図２に戻って、載置台２４上には、ＦＯＵＰ７の位置決めを行うための位置決めピン２４ａが設けられるとともに、載置台２４に対してＦＯＵＰ７の固定を行うためのロック爪２４ｂが設けられている。ロック爪２４ｂは、載置台２４上にＦＯＵＰ７が適切に位置決めされた後、ロック動作を行うことでＦＯＵＰ７を固定することができ、アンロック動作を行うことでＦＯＵＰ７を載置台２４より離間可能な状態とすることができる。なお、載置台２４はＦＯＵＰ７を載置した状態で、載置台駆動部（図示せず）により前後方向に移動することが可能となっている。ここで、適切に位置決めされるとは、載置台２４に対するＦＯＵＰ７の底面の高さが、載置台２４の上面から所定範囲内にあることを意味する。
【００４０】
ＦＯＵＰ７が適正な位置に位置決めされたか否かは、位置決めピン２４ａの近傍に配設された位置決めセンサ６０（図５参照）により検知される。位置決めセンサ６０は、板ばねによって形成されたセンサ６１と、センサ６１に下向きに突設されたフラグ６２と、フラグ６２の下方に配置された透過型のフォトセンサ６３と、フォトセンサ６３に接続されたセンサケーブル６４と、を備えている。この位置決めセンサ６０は、各位置決めピン２４ａの近傍に、それぞれ配置することが好ましい。
【００４１】
ＦＯＵＰ７が載置台２４に載置されると、ＦＯＵＰ７の位置決め溝（図示せず）が位置決めピン２４ａに挿入され、ＦＯＵＰ７の底部がセンサ６１に接触する。するとＦＯＵＰ７の重みでフラグ６２が下がってフォトセンサ６３を遮光するため、ＦＯＵＰ７を認識（検出）することができる。検出結果はセンサケーブル６４によってコントローラに送信される。このように、フラグ６２がフォトセンサ６３を遮光した時に、ＦＯＵＰ７が載置台２４に適切に位置決めされていることを検出できる。具体的にＦＯＵＰ７が適切に位置決めされた状態であるかを検出するために、ＦＯＵＰ７が適切に位置決めされた状態にあるときに、フラグ６２がフォトセンサ６３を遮光するように設計しておけばよい。この他、フォトセンサ６３が検知するフラグ６２の遮光量と、所定の閾値とを比較して検知しておいても良い。
【００４２】
また、載置台２４には、ＦＯＵＰ７内に窒素ガスを供給するノズルユニット７０と、ＦＯＵＰ７内より窒素ガスを排出する第２排気ノズル１０４がそれぞれ２箇所に設けられている。ノズルユニット７０と第２排気ノズル１０４とは通常、適切に位置決めされた状態にあるＦＯＵＰ７の底面より下方に位置し、使用の際に上方に進出してＦＯＵＰ７の備えるガス供給弁３３（図３参照）とガス排出弁３４にそれぞれ連結するようになっている。
【００４３】
使用時には、ノズルユニット７０の上端がＦＯＵＰ７のガス供給弁３３に接触し、同様に、第２排気ノズル１０４の上端がＦＯＵＰ７のガス排気弁３４に接触する。そして、ガス供給弁３３を介してノズルユニット７０よりＦＯＵＰ７の内部空間Ｓｆに乾燥窒素ガス等のガスを供給し、ガス排出弁３４を介して第２排気ノズル１０４より内部空間Ｓｆのガスを排出可能となっている。また、窒素ガス供給量を窒素ガス排出量よりも多くすることで、外部や筐体３の搬送空間９の圧力に対して内部空間Ｓｆの圧力を高めた陽圧設定とすることもできる。
【００４４】
ここで、通常、ロードポート４に載置されるＦＯＵＰ７のガス供給弁３３が、いわゆるグロメットタイプと呼ばれる弾性部材である場合、対応するノズルユニット７０の上端は、ガス供給弁３３よりも剛性の高い、例えば、金属やプラスチックのような物質、あるいは、グロメットタイプと同様の弾性部材で構成される。本実施形態ではノズルユニット７０の上端をプラスチックで構成している。
【００４５】
ロードポート４を構成するベース２１は、搬送空間９を外部空間から隔離する前面壁の一部を構成している。図２に示すようにベース２１は、両側方に起立させた支柱２１a，２１ａと、これらにより支持されたベース本体２１ｂと、このベース本体２１ｂに略矩形状に開放された窓部２１ｃに取り付けられたウインドウユニット４０とから構成されている。ここで、本願でいう略矩形とは、四辺を備える長方形を基本形状としながら四隅を円弧によって滑らかにつないだ形状をいう。
【００４６】
ウインドウユニット４０は、上述したＦＯＵＰ７の蓋体３２（図３参照）と対向する位置に設けられている。ウインドウユニット４０は、後に詳述するように略矩形状の開口部４２（図４参照）が設けられていることから、この開口部４２を介して筐体３の搬送空間９を開放することができる。
【００４７】
ウインドウユニット４０は、窓枠部４１と、これに取り付けられる弾性材としての第１Ｏリング４３，第２Ｏリング４４と、第１Ｏリング４３を介してＦＯＵＰ７を窓枠部４１に対して密着させるための引き込み手段としてのクランプユニット４５とから構成されている。
【００４８】
窓枠部４１は、内側に略矩形状の開口部４２が形成された枠形状をなしている。窓枠部４１は、ウインドウユニット４０の構成要素として上述したベース２１（図２参照）の一部を構成するものであることから、開口部４２は筐体３の前面壁を開放するものということができる。窓枠部４１の前面には、開口部４２の周縁近傍を周回するように第１Ｏリング４３が配設されている。窓枠部４１の後面には、開口部４２の周縁近傍を周回するように第２Ｏリング４４が配設されている。
【００４９】
開口部４２はＦＯＵＰ７の蓋体３２の外周よりも僅かに大きく、この開口部４２を通って蓋体３２は移動可能となっている。また、ＦＯＵＰ７を載置台２４に載置させた状態において、蓋体３２の周囲をなす本体３１の前面は当接面３１ｂとして、第１Ｏリング４３を介して窓枠部４１の前面に当接する。これにより、ＦＯＵＰ７がウインドウユニット４０に取付けられた際に、第１Ｏリング４３は開口部４２（ベース２１）の周縁とＦＯＵＰ７との間をシールする。
【００５０】
また、窓枠部４１の後面には、上述したドア部５１が第２Ｏリング４４を介して当接するようになっている。これにより、第２Ｏリング４４が開口部４２の周縁とドア部５１との間をシールする。
【００５１】
クランプユニット４５は、窓枠部４１の両側部において上下方向に離間して配された合計４箇所に設けられている。各クランプユニット４５は、概ね係合片４６とこれを動作させるシリンダ４７とから構成され、ＦＯＵＰ７がウインドウユニット４０に取付けられた状態で、ＦＯＵＰ７をベース２１側に押圧する。
【００５２】
そして、係合片４６が前方に飛び出した場合にはその先端が上方向を向き、後方に引き込まれた状態となった場合には先端が内側のＦＯＵＰ７に向かう方向となる。クランプ操作により、係合片４６は先端が内側を向くことで、ＦＯＵＰ７より側方に張り出した鍔部に係合することが可能となっている。
【００５３】
また、ロードポート４は、ＦＯＵＰ７を取り付け可能に構成されたウインドウユニット４０を開閉するための開閉機構５０を備えている。
【００５４】
図３に示すように開閉機構５０は、開口部４２を開閉するためのドア部５１と、これを支持するための支持フレーム５２と、この支持フレーム５２がスライド支持手段５３を介して前後方向に移動可能に支持する可動ブロック５４と、この可動ブロック５４をベース本体２１ｂに対して上下方向に移動可能に支持するスライドレール５５を備えている。
【００５５】
さらに、ドア部５１の前後方向への移動及び上下方向への移動を行わせるためのアクチュエータ（図示せず）が、各方向毎に設けられており、これらに制御部Ｃｐからの駆動指令を与えることで、ドア部５１を前後方向及び上下方向に移動させることができるようになっている。このようにロードポート４は制御部Ｃｐによって、各部に駆動指令が与えられることで動作するようになっている。
【００５６】
ドア部５１は、ＦＯＵＰ７の蓋体３２を吸着する吸着部５６（図４参照）と、ＦＯＵＰ７の蓋体３２を開閉するためのラッチ操作や、蓋体３２の保持を行うための連結手段５７とを備えている。ドア部５１は蓋体３２の固定および固定の解除を行って、ＦＯＵＰ７から蓋体３２の取り外し、および取り付けが可能となっている。連結手段５７では、蓋体３２のアンラッチ動作を行うことで蓋体３２を開放可能な状態とするとともに、蓋体３２をドア部５１に連結して一体化した状態とすることができる。また、これとは逆に、蓋体３２とドア部５１との連結を解除するとともに、蓋体３２を本体３１に取付けて閉止状態とすることもできる。
【００５７】
以下、図面を参照しながら、本発明のノズルユニット７０について説明する。
【００５８】
＜第１実施形態＞
図６に示すように、第１実施形態に係るノズルユニット７０は、窒素ガスをＦＯＵＰ７に供給するガス供給口７２を有するノズル本体７１と、ノズル本体７１を上下動させる駆動手段９６とを備えている。
【００５９】
ノズル本体７１は、ガス供給口７２を形成する胴部７３と、胴部７３の上端面の外周縁から上方に立ち上がる第１周壁７４と、胴部７３の下端面の外周縁から下方に垂下する第２周壁７５とを有する。
【００６０】
胴部７３は、ノズル本体７１の軸方向に沿って延びる円柱形状である。胴部７３は、ガス供給口７２に連通するガス流路７７と、胴部７３の外周面から径方向外方に向かって突出する円環状の係止部８６とを包含する。
【００６１】
ガス流路７７は、ノズル本体７１の軸方向と直交する水平方向に胴部７３の内部を直線状に延び、中央部でガス供給口７２に連通している。ガス流路７７の一方の開口が供給ノズル７８と接続され、供給流路７９を形成している。供給ノズル７８は、供給バルブ８０（図３参照）を介して図示しない窒素供給源に接続され、ＦＯＵＰ７に窒素ガスを供給する。ガス流路７７の他方の開口が、第１排気ノズル８１に接続され、排気流路８２を形成している。第１排気ノズル８１は、排気バルブ８３を介して図示しない真空ポンプに接続され、ガス流路７７、および後述する上方空間８７の大気を排気する。
【００６２】
第１周壁７４と、胴部７３の上端面との間には、胴部７３より上方の上方空間８７が形成されている。第１周壁７４の先端部には、ＦＯＵＰ７に向かって突出する突出壁８８が形成されている。
【００６３】
第２周壁７５と、胴部７３の下端面との間には、胴部７３より下方の下方空間８９が形成されている。第２周壁７５の下端が、載置台２４に固定された台座９０に支持されている。
【００６４】
また上記ノズル本体７１には、接触検知センサ（図示せず）と、供給バルブ８０に接続された圧力調整手段である流量コントローラ７６（図３参照）とが設けられている。
【００６５】
接触検知センサは、ＦＯＵＰ７と、ノズルユニット７０とが接触することを検知する。この検知は、エアシリンダ１０１のストローク量により行われてもよく、またはエアシリンダ１０１の圧力で間接的に検知されてもよい。
【００６６】
流量コントローラ７６は供給ノズル８０の開度を調整することで、供給される窒素ガスの流量を制御し、ノズルユニット７０内の圧力を調整する。具体的には、ノズルユニット７０内の大気を排気して窒素ガスを供給する際に、ノズルユニット７０内の圧力を所定値以下に制御する。ここで、ノズルユニット７０内とは、ガス流路７７、上方空間８７、供給ノズル７８および第１排気ノズル８１の内部を包含する。
【００６７】
駆動手段９６は、円板状の支持部材（支持部）９７と、支持部材９７の上面から上方に立ち上がる円環状の立壁９８とを有する。支持部材９７の立壁９８の内側には、支持部材９７を厚さ方向に貫通する貫通孔９９が形成され、第２周壁７５が貫通孔９９に挿通している。
【００６８】
支持部材９７の径方向外側は、載置台２４に配設されたエアシリンダ１０１の下端に接続されている。これにより、エアシリンダ１０１が支持部材９７を昇降駆動させることで、ノズル本体７１を昇降させるように駆動する。
【００６９】
また図９に示すように、制御部Ｃｔの入力側は、ＦＯＵＰ７が適切に位置決めされたことを検知する位置決めセンサ６０と、ＦＯＵＰ７とノズル本体７１とが接触したことを検知する接触検知センサとに接続されている。制御部Ｃｔの出力側は、供給バルブ８０と排気バルブ８３とエアシリンダ１０１とに接続されている。制御部ＣｔはＥＦＥＭ１に設置され、各種メモリや、ユーザによる操作入力を受け付けるコントローラが内蔵されている。
【００７０】
以下、第１実施形態のノズルユニット７０を用いた場合の動作例を、図６〜図１０を用いて説明する。なお、初期状態では供給バルブ８０と排気バルブ８３とが閉じられている。
【００７１】
図１０に示すようにステップＳ１では、位置決めセンサ６０が、ＦＯＵＰ７が載置台２４に適切に位置決めされたことを検知し、ステップＳ２に進む。
【００７２】
ステップＳ２では、ＦＯＵＰ７が載置台２４に位置決めされた後、エアシリンダ１０１が支持部材９７を介してノズルユニット７０をＦＯＵＰ７に向かって上昇させる（図７参照）。このとき、第２周壁７５の下端は台座９０から離間する。
【００７３】
ステップＳ３では、ＦＯＵＰ７とノズル本体７１の突出壁８８とが接触したことを接触検知センサで検知する。なお、接触検知センサを用いない場合、載置台２４に適切に位置決めされた状態にあるＦＯＵＰ７の底面を基準に、ノズル本体７１の上昇位置を設定しておけばよい。これにより、エアシリンダ１０１のストローク量や、エアシリンダ１０１の圧力を検出することで間接的に、ＦＯＵＰ７とノズル本体７１の突出壁８８との接触を検知できる。
【００７４】
ステップＳ４では排気バルブ８３を開き、ガス流路７７、上方空間８７、供給ノズル７８および第１排気ノズル８１の内部から大気を排気する。排気が終了すると、排気バルブ８３を閉じる。しかしこれに限定されず、第１排気ノズル８１がノズルユニット７０内の大気を排気する際に、同時に供給ノズル７８が上方空間８７を含むノズルユニット７０に窒素ガスを供給して大気と置換してもよい。また、供給ノズル７８から上方空間８７に窒素ガスを供給するとき、流量コントローラ７６がノズルユニット７０内の圧力を所定値以下に制御する。なお、ここで言う所定値とは、ガス供給口７２に設けられた逆止弁のような開閉弁（図示せず）が開放しない程度の圧力を意味する。この開閉弁は閉じられた状態でガス供給口７２をシールして、ＦＯＵＰ７内のガスがＦＯＵＰ７外へ流出することを阻止するとともに、ＦＯＵＰ７外の大気がＦＯＵＰ７内へ流入することを防ぐ。しかし、この開閉弁は、所定の圧力を受けることで開放され、ガス供給口７２を介するＦＯＵＰ内７への窒素ガス流入を可能にする。
【００７５】
この後、ステップＳ５では供給バルブ８０を開き、窒素ガスが、供給ノズル７８から供給流路７９、ガス供給口７２、および上方空間８７を順に流動してＦＯＵＰ７に供給される。これによりＦＯＵＰ７内が窒素ガスで充填され、窒素ガスへの置換が行われる。この置換が終了すると供給バルブ８０を閉じる。
【００７６】
ステップＳ６では、ロードポート４が窒素ガスの停止命令を受けると供給バルブ８０を閉じ、ノズルユニット７０からの窒素ガスの供給を停止する。この後、ステップＳ７では、エアシリンダ１０１が支持部材９７を下方に移動されることで、ノズルユニット７０が下方に移動してＦＯＵＰ７から離間する（図７参照）。そして、第２周壁７５の下端が台座９０に当接すると、ノズルユニット７０の下降が終了する（図６参照）。
【００７７】
[本実施形態のノズルユニットの特徴]
本実施形態のノズルユニット７０には以下の特徴がある。
【００７８】
第１実施形態のノズルユニット７０では、排気ノズル８３により大気を排気する。従って、ＦＯＵＰ７とノズル本体７１とが接触した後、ノズル本体７１、供給ノズル７８および第１排気ノズル８１を包含するノズルユニット７０内の大気を排気してから供給ノズル７８がＦＯＵＰ７に窒素ガスを供給する。これにより、ノズルユニット７０内の大気がＦＯＵＰ７の内部に流入するのを防止できる。この大気がＦＯＵＰ７に流入するのを防止するので、ＦＯＵＰ７に収容されたウェーハの性状変化を防止できる。
【００７９】
第１実施形態のノズルユニット７０では、第１排気ノズル８１が、供給ノズル８０、ガス流路７７、上方空間８７および第１排気ノズル８１内の大気を排気する。従って、ＦＯＵＰ７とノズル本体７１とが接触した後、供給ノズル７８がＦＯＵＰ７に窒素ガスを供給する際に大気がＦＯＵＰ７に流入するのを確実に防止する。これにより、ＦＯＵＰ７に収容されたウェーハの性状変化を防止できる。
【００８０】
第１実施形態のノズルユニット７０では、流量コントローラ７６がノズル本体７１内の圧力を所定値以下に制御する。従って、ノズル本体７１内の大気を排気して窒素ガスを供給する際、すなわちノズル本体７１内を大気から窒素ガスに置換する際に、窒素ガスがＦＯＵＰ７内に流入するのを防止できる。
【００８１】
＜第２実施形態＞
以下、第２実施形態に係るノズルユニット７０について説明する、なお、第１実施形態と同じ要素には同じ符号を付して説明を省略する。
【００８２】
図１１に示すように、ノズルユニット７０は、窒素ガスをＦＯＵＰ７に供給するガス供給口７２を有するノズル本体７１と、ガス供給口７２をシールする開閉機構９２と、開閉機構９２によりシールされたガス供給口７２を開放する開放手段９６とを備えている。
【００８３】
胴部７３は、ガス供給口７２に連通するガス流路７７と、ガス供給口７２の上側縁部に設けられた第１シール部８５と、胴部７３の外周面から径方向外方に向かって突出する円環状の係止部８６とを包含する。
【００８４】
開閉機構９２は断面Ｔ字形状であり、円板状の蓋部９３と、蓋部９３の下面中央部から下方に延びる円柱形状の延伸部９４とを有する。蓋部９３は上方空間８７に位置し、下面の外周縁部が第１シール部８５と当接してガス供給口７２の周縁をシールする。延伸部９４は、蓋部９３から胴部７３を貫通して下方空間８９まで延びている。延伸部９４と胴部７３との間は、胴部７３の下端に配設された第２シール部９５によりシールされている。
【００８５】
開放手段９６は、延伸部９４の下端に接続され、延伸部９４を上方に押圧して開閉機構９２を上方に移動させる。開放手段９６は、円板状の支持部材（支持部）９７と、支持部材９７の上面から上方に立ち上がる円環状の立壁９８とを有する。支持部材９７の立壁９８の内側には、支持部材９７を厚さ方向に貫通する貫通孔９９が形成されている。第２周壁７５が貫通孔９９に挿通することで、開放手段９６が下方空間８９に、胴部７３に対して上下動可能に取り付けられている。なお第２実施形態に係る開放手段９６は、第１実施形態に係る駆動手段９６と同じ要素であり、各実施形態における機能の相違により部材の名称を変更している。
【００８６】
支持部材９７の径方向外側は、載置台２４に配設されたエアシリンダ１０１の下端に接続されている。これにより、エアシリンダ１０１が支持部材９７を昇降駆動させることで、ばね１０２を介してノズル本体７１を昇降させるように駆動する（図１２，１３参照）。
【００８７】
胴部７３と支持部材９７との間には付勢部材であるばね１０２が配設されている。開放手段９６は、ばね１０２による弾性力に抗して開閉機構９２を上方に押圧する。なお、開放手段９６と開閉機構９２とは一体に形成されている。
【００８８】
[本実施形態のノズルユニットの特徴]
本実施形態のノズルユニット７０には以下の特徴がある。
【００８９】
第２実施形態のノズルユニット７０では、ガス流路７７を排気した後に、開閉機構８２でシールされたガス供給口７２を開放できる（図１４参照）。従って、ガス流路７７内の大気が、窒素ガスの供給を受けるＦＯＵＰ７の内部に流入するのを防止し、ＦＯＵＰ７に収容されたウェーハの性状変化を防止できる。また、開放手段９６が、開閉機構９２によりシールされたガス供給口７２を開放するので、ガス供給口７２から窒素ガスを容易に供給できる。
【００９０】
第２実施形態のノズルユニット７０では、開放手段９６を上方に移動させるだけで開閉機構９２も上方に移動し、蓋部９３によるガス供給口７２のシールを解除できる。従って、ガス供給口７２から窒素ガスを容易に供給できる。
【００９１】
第２実施形態のノズルユニット７０では、ばね１０２により開放手段９６が、ノズル本体７１に対して下方に付勢されているので、開放手段９６に接続された開閉機構９２の蓋部９３が確実にガス供給口７２をシールできる。また開放手段９６を上方に移動させても、ばね１０２が胴部７３を蓋部９３に向かって付勢するので蓋部９３によるガス供給口７２のシールを確実に維持できる。
【００９２】
第２実施形態のノズルユニット７０では、ノズル本体７１の上端をＦＯＵＰ７に当接させてガス供給口７２から窒素ガスを供給する前に、第１排気ノズル８１によりガス流路７７内の大気を排気できる。従って、窒素ガスを供給する際にガス流路７７内の大気が、窒素ガスの供給を受けるＦＯＵＰ７内部に流入するのを防止できる。
【００９３】
第２実施形態のノズルユニット７０では、第１排気ノズル８１によりガス流路７７内の大気を排気し、ノズル本体７１の上端がＦＯＵＰ７に接触した後、ガス供給口７２を開放してＦＯＵＰ７への窒素ガス注入を開始する。従って、ＦＯＵＰ７への窒素ガス注入を開始する際に、ガス流路７７内の大気がＦＯＵＰ７の内部に流入するのを防止できる。これにより、ＦＯＵＰ７に収容されたウェーハの性状変化を防止できる。ここで、ノズル本体７１の上端がＦＯＵＰ７に接触した後、ガス供給口７２を開放する際、ノズル内を排気しながら開放手段９６を上方に移動させることで、上方空間内の大気を排気することが好ましい。また、ＦＯＵＰ７への窒素ガス注入は、上述した上方空間内の大気を排気した後に行なうことが好ましい。このようにすれば、上方空間内の大気がＦＯＵＰ内に入ることを防止することができる。
【００９４】
第２実施形態のノズルユニット７０では、ＦＯＵＰ７への窒素ガス注入が終了した後、開閉機構９２がガス供給口７２をシールする。そして、ノズル本体７１をＦＯＵＰ７から切離する。従って、窒素ガス注入の終了後にガス供給口７２から窒素ガスが漏出するのを防止できる。このほか、ＦＯＵＰ７への窒素ガス注入が終了した後、ノズル本体７１を所定値以下の陽圧状態に維持した状態でノズル本体７１をＦＯＵＰ７からノズル本体７１を切離させた後、または切離と同時に開閉機構９２でガス供給口を閉止（シール）しても良い。なお、ここで言う所定値とは、ガス供給口７２に設けられた逆止弁（図示せず）が開放しない程度の圧力を意味する。
【００９５】
以上、本発明の実施形態について図面に基づいて説明したが、具体的な構成は、これらの実施形態に限定されるものでないと考えられるべきである。本発明の範囲は、上記した実施形態の説明だけではなく特許請求の範囲によって示され、さらに特許請求の範囲と均等の意味および範囲内でのすべての変更が含まれる。
【００９６】
第２実施形態では、開閉機構９２を上下に移動させることでガス供給口７２のシール、およびシールの解除を行った。しかしこれに限定されず図１５に示すように、上方空間８７に位置し、下面の外周縁部でガス供給口７２の周縁をシールする弾性閉止部材１１１と、弾性閉止部材１１１を胴部７３に固定する固定部１１２とを有する開閉機構１１０を採用してもよい。なお以下の変形例では図中、前記実施形態と同一の要素には同一の符号を付して説明を省略する。
【００９７】
この開閉機構１１０では、図示しないエアシリンダが胴部７３を上方に移動させて（図１６参照）、突出壁８８をＦＯＵＰ７のガス供給弁３３に接触させる。この状態で、供給ノズル７８から上方空間８７に向かって窒素ガスを流動させると、図１７に示すように窒素ガスの圧力により弾性閉止部材１１１が弾性変形してガス供給口７２のシールを解除する。このように、窒素ガスの圧力を所定値以上にすることで、窒素ガスが弾性閉止部材１１１を押圧して弾性変形させ、ガス供給口７２のシールを解除する。ここで言う所定値とは、弾性閉止部材１１１を弾性変形させ、逆止弁によるガス供給口７２のシールを解除し得る圧力値を意味する。これにより、容易な構成で、供給流路７９から上方空間８７を介してＦＯＵＰ７に窒素ガスを供給できる。なお、この場合、上記実施形態のように排気流路８２は必要なく、供給ノズル７８と第１排気ノズル８１とを一体化して共通使用する。例えば、ＦＯＵＰ７からノズル本体７１を離間させる前に、窒素ガス供給を止めて弾性閉止部材１１１でガス供給口７２のシールを行う。これにより、ＦＯＵＰ７からノズル本体７１が離間した後でも、実質的に供給流路７９内に大気が残存するのを防ぐことができる。この開閉機構１１０としては、逆止弁としての機能しており、既知の逆止弁を用いることができる。
【００９８】
開閉機構１１０の更なる変形例として、図１８に示すように、中央部が当接して密着することでガス供給口７２をシールする弾性閉止部材１１３と、この弾性閉止部材１１３の径方向外側に形成され、弾性閉止部材１１３を胴部７３に固定する固定部１１４とを有する開閉機構１１０を採用してもよい。
【００９９】
この開閉機構１１０では、供給ノズル７８から上方空間８７に向かって窒素ガスを流動させると、図１９に示すように窒素ガスの圧力により弾性閉止部材１１３が弾性変形して外方に折れ曲がり、ガス供給口７２のシールを解除する。これにより、簡単な構成でＦＯＵＰ７に窒素ガスを供給できる。
【０１００】
第２実施形態では、ばね１０２が支持部材９７に対してノズル本体７１を上方に付勢することで、開閉機構９２によるガス供給口７２のシールが維持された。しかしこれに限定されず、付勢部材としてばね１０２に代えて圧力室１１５を用いることで、ガス供給口７２のシールまたはシールの解除を行ってもよい。図２０に示すように、圧力室１１５は、ノズル本体７１に一体化された支持部材９７と胴部７３との間に形成されている。また圧力室１１５は、気体を供給または排気する圧力調整ノズル１１６に接続されている。
【０１０１】
圧力調整ノズル１１６は、圧力室１１５に気体を供給することで圧力を高くし、開閉機構９２の下端部１１７を下方に押圧して開閉機構９２を下方に付勢する。これにより、蓋部９３がガス供給口７２をシールする。一方、圧力調整ノズル１１６が圧力室１１５から気体を排気することで圧力を低くし、負圧により下端部１１７を上方に引き上げて開閉機構９２を上方に移動させる。これにより、蓋部９３によるガス供給口７２のシールを解除する。
【０１０２】
第２実施形態では、ＦＯＵＰ７のガス供給弁３３としてグロメットタイプと呼ばれる弾性部材を採用した。しかしガス供給弁３３として、いわゆるリップタイプと呼ばれる、例えば、金属やプラスチックのような剛性の高い素材を採用してもよい。この場合、対応するノズルユニット７０の上端は、グロメットタイプのような弾性部材３７（図２０参照）で構成される。このように、ガス供給弁３３とノズルユニット７０の上端とを、弾性部材と剛性部材、または弾性部材同士の関係に設定する。これにより、ガス供給弁３３にガス注入装置７０の上端が接触したとき、ガス供給弁３３の突起３３ａと弾性部材３７とが接触して密閉性をもたせることができる。従って，ＦＯＵＰ７内に供給される窒素ガスが外部に漏洩することを防ぐことができる。
【０１０３】
第２実施形態では、開放手段９６と開閉機構９２とを一体に形成した。しかし、組立を容易にするため、それぞれ別体とし、例えば開放手段９６に対する開閉機構９２の相対位置を規制する雄ねじ１３３および雌ねじ１３４の関係として着脱可能に構成しても良い。これにより、組立および弁機構９２の交換が容易になる。
【０１０４】
また、ガス流路７７内の窒素ガスの圧力を調整することで、ガス供給口７２のシールまたはシールの解除を行ってもよい。具体的には図２１に示すように、供給ノズル７８に、流量コントローラ１２０に並列接続された第１レギュレータ１２１および第２レギュレータ１２２を連結する。これにより、高圧窒素ガスを吐出する第１レギュレータ１２１を駆動することで、供給ノズル７８に高圧の窒素ガスが流れる。この窒素ガスの圧力により、開閉機構９２を上方に移動させて蓋部９３によるガス供給口７２のシールを解除する。このとき、排気バルブ８３は閉じられている。他方、低圧窒素ガスを吐出する第２レギュレータ１２２を駆動することで、供給ノズル７８に低圧の窒素ガスが流れる。この低圧窒素ガスにより、開閉機構９２を下方に移動させて蓋部９３によりガス供給口７２をシールする。
【０１０５】
第１および第２実施形態では、エアシリンダ１０１によりノズルユニット７０を昇降させた。しかしこれに限定されず、ノズルユニット７０を昇降させない構成を採用してもよい。図２２に示すように、気体置換機構１２５は、不活性ガスを充填した図示略のガス供給装置を有しており、載置台２４に配置されたＦＯＵＰ７内に不活性ガスを供給する。気体置換機構１２５には、ガス供給口１２６とガス排気口１２７とが設けられている。ガス供給口１２６は載置台２４の取入用パージポート１２８に接続されており、ガス排出口１２７は、載置台２４の取出用パージポート１２９に接続されている。これらにより、ガス供給口１２６とガス排気口１２７とは載置台２４に対して固定され、昇降しない構成となっている。
【０１０６】
第１および第２実施形態では、ＦＯＵＰ７が適正な位置に固定されたか否かは、位置決めセンサ６０により検知した。しかしこれに限定されず、図２３に示すように、ＦＯＵＰ７の底部に設けられた突出部１３０が載置台２４の上部に設けられた加圧センサ１３１の押圧部１３１ａを押圧したことを検出することで、ＦＯＵＰ７の適正な位置決めを検知してもよい。
【０１０７】
前記実施形態では不活性ガスとして窒素を例にしたが、これに限定されず、乾燥ガス、アルゴンガスなど所望のガスを用いることができる。
【０１０８】
前記実施形態では、位置決めセンサは、光学式センサや圧力センサを例にしたが、これに限定されず、機械式センサや電気式センサなどを用いることができる。
【０１０９】
前記実施形態では、ロードポートに適用したがこれらに限定されない。例えば、ＦＯＵＰ内に不活性ガスを供給するためのパージステーション（パージ装置）装置、複数の載置台を備え、複数のＦＯＵＰを保管するためのＦＯＵＰストッカ、またはＦＯＵＰを仮置きするためバッファ装置にも適用できる。
【符号の説明】
【０１１０】
７０  ノズルユニット
７１  ノズル本体
７２  ガス供給口
７３  胴部
７６  流量コントローラ（圧力調整手段）
７７  ガス流路
７８  供給ノズル
８１  第１排気ノズル
８７  上方空間
８９  下方空間
９２  開閉機構
９３  蓋部
９４  延伸部
９６  開放手段
９７  支持部材（支持部）
１０２  ばね（付勢部材）
１１１  弾性閉止部材
１１２  固定部
【図１】
0006623627.tif 000002
【図２】
0006623627.tif 000003
【図３】
0006623627.tif 000004
【図４】
0006623627.tif 000005
【図５】
0006623627.tif 000006
【図６】
0006623627.tif 000007
【図７】
0006623627.tif 000008
【図８】
0006623627.tif 000009
【図９】
0006623627.tif 000010
【図１０】
0006623627.tif 000011
【図１１】
0006623627.tif 000012
【図１２】
0006623627.tif 000013
【図１３】
0006623627.tif 000014
【図１４】
0006623627.tif 000015
【図１５】
0006623627.tif 000016
【図１６】
0006623627.tif 000017
【図１７】
0006623627.tif 000018
【図１８】
0006623627.tif 000019
【図１９】
0006623627.tif 000020
【図２０】
0006623627.tif 000021
【図２１】
0006623627.tif 000022
【図２２】
0006623627.tif 000023
【図２３】
0006623627.tif 000024